(57)【要約】【課題】  着座や椅子に座った状態、また起立姿勢でも楽に靴下を履くことができ、さらに、容易に靴下を脱ぐことができる靴下着脱用補助具を提供すること。【解決手段】  把手部と、把手部の先方に形成された本体部とで構成される靴下着脱用補助具であって、前記本体部は、湾曲状の一対の翼部と、翼部間に形成された凹部と、前記翼部の把手部側に形成された一対の係止部を備えることを特徴とする。  また、前記把手部の基部に靴下脱部を形成した。【選択図】図１
2019048015.tif 000002
【特許請求の範囲】
【請求項１】
把手部と、把手部の先方に形成された本体部とで構成される靴下着脱用補助具であって、前記本体部は、湾曲状の一対の翼部と、翼部間に形成された凹部と、前記翼部の把手部側に形成された一対の係止部とを備えることを特徴とする靴下着脱用補助具。
【請求項２】
前記本体部は、硬度の異なる部位により形成されている請求項１記載の靴下着脱用補助具。
【請求項３】
前記本体部の表面は織布、若しくは不織布からなる布材にて形成されている請求項１または２記載の靴下着脱用補助具。
【請求項４】
前記把手部の基部に、靴下脱部を形成した請求項１乃至３記載の靴下着脱用補助具。
【請求項５】
前記靴下脱部は、テーパー状に形成された挟持部と、挟持部の基部に形成された布保持部とを備える請求項４記載の靴下着脱用補助具。
【発明の詳細な説明】
【技術分野】
【０００１】  本発明は、楽な姿勢で靴下を履くことができ、さらに、容易に靴下を脱ぐことができる靴下着脱用補助具に関する。
【背景技術】
【０００２】  靴下を履く時は、両手で靴下の開口を保持した状態で、靴下の開口に足先を入れ、両手で引き上げて足に到着していた。この際、床に胡坐をかいた姿勢で、また椅子に腰掛けた状態で行っていた。【０００３】  しかし年齢を重ねると、身体の柔軟性が低下して靴下を履く行為は困難になる。また妊婦や肥満気味の人も、身体を曲げて靴下を履くことは難しくなる。そのうえ、不自然な姿勢で靴下を履くと、身体を痛めてしまうとう問題も生じた。【０００４】  そのため従来技術として、自分で靴下を履いたり脱いだりすることが困難な人のための、靴下を簡単に履ける補助具がある（例えば特許文献１参照）。【０００５】  上掲特許文献１の靴下履き補助具は、可撓性の板部（２）に、可撓性の板部（２）が円錐状になるように線状のバネ（３）を取り付け、可撓性の板部（２）の内側・外側に摩擦抵抗の小さい内布（７）外布（８）を貼り、円錐状の後ろ側（１１）に開口保持具（６）を取り付け、開口部保持具（６）に棒（４）を取り付け、棒（４）の先に突起（５）を設けたことを特徴としている。
【先行技術文献】
【特許文献】
【０００６】
【特許文献１】特開２０１１−７８７２０号公報
【発明の概要】
【発明が解決しようとする課題】
【０００７】  しかしながら、上掲特許文献１の靴下履き補助具は、全体を円錐状に形成するために、板部に線状のバネを取り付けた構造であり、コストアップに繋がるという問題が生じた。また、靴下装着後に補助具を抜くと、靴下の開口部が足首周辺に留まってしまうという欠点もあった。さらに、棒の先に突起を設けた構造では、靴下を脱がした際に床に落ちてしまうため、靴下を拾い上げる必要があった。【０００８】  そこで本発明は上記の点に鑑み、着座や椅子に座った状態、また起立姿勢でも楽に靴下を履くことができ、さらに、靴下を脱がした後も、確実に靴下を保持することができる靴下着脱用補助具を提供することにある。
【課題を解決するための手段】
【０００９】  上記課題を解決するために把手部と、把手部の先方に形成された本体部とで構成される靴下着脱用補助具であって、前記本体部は、湾曲状の一対の翼部と、翼部間に形成された凹部と、前記翼部の把手部側に形成された一対の係止部を備えることを特徴とする。【００１０】  また前記本体部は、硬度の異なる部位により形成されている。【００１１】  また前記本体部の表面は、織布、若しくは不織布からなる布材にて形成されている。【００１２】  また、前記把手部の基部に靴下脱部を形成した。【００１３】  さらに前記靴下脱部は、テーパー状に形成された挟持部と、挟持部の基部に形成された布保持部とを備える。
【発明の効果】
【００１４】  本発明によれば、本体部は、湾曲状の一対の翼部と、翼部間に形成された凹部と、前記翼部の把手部側に形成された一対の係止部を備え、さらに硬度の異なる部位により形成されているため、靴下の装着が簡単で、着座や椅子に座った状態、また起立姿勢でも容易に、且つ確実に靴下を履くことができる。【００１５】  また把手部の基部に、テーパー状に形成された挟持部と、挟持部の基部に形成された布保持部を備える靴下脱部を設置することで、靴下を脱がした後も靴下が落下せず、床に落ちた靴下を拾い上げる必要がなくなる。
【図面の簡単な説明】
【００１６】
【図１】本発明の靴下着脱用補助具の全体斜視図である。
【図２】本体部の表面側の平面図である。
【図３】本体部の裏面側の平面図である。
【図４】翼部を重ねた状態の斜視図である。
【図５】本体部に靴下を装着した状態である。
【図６】本体部に足を挿入した状態である。
【図７】靴下着脱用補助具を引き上げた状態である。
【図８】靴下脱部を表す。
【図９】靴下を脱ぐ状態の使用例である。
【発明を実施するための形態】
【００１７】  本発明の靴下着脱用補助具は、着座や椅子に座った状態、また起立姿勢でも楽に靴下を履くことができ、さらに、靴下を脱がした後も、確実に靴下を保持することができることを特徴とする。
以下、本発明の靴下着脱用補助具の詳細を図面に基づいて説明する。
【００１８】  図示する靴下着脱用補助具１は、把手部１０と、把手部１０の先方に形成された本体部２０とで構成される。本体部２０は、湾曲状の一対の翼部２１と、翼部２１間に形成された凹部２２と、前記翼部２１の把手部１０側に形成された一対の係止部２３を備える。
【００１９】  前記本体部２０は、図４に示すように、湾曲状の一対の翼部２１を互いに折り重ねると、テーパー状の筒状体２４が形成される。そのため、靴下３０の開口部３１を筒状体２４へ挿入することで、図５に示すように靴下３０を装着することができる。
【００２０】  また図２に示すように、本体部２０の表面２５（足挿入面）は織布、若しくは不織布等の布材２６にて形成されている。かかる布材２６は、さまざまな織布や不織布が使用されるが、特にフェルト材で形成することが好ましい。本体部２０の表面２５を布材２６で形成することにより、足装着時に心地よい肌触りと好適な滑り性を実現することができる。
【００２１】  また図３に示すように、本体部２０の裏面２７（靴下接触面）は、滑り特性の高い合成樹脂、好ましくはポリプロピレン等の素材で形成されている。また前記本体部２０の布材２６と裏面２７との間には、高い硬度を有する板状の保形材２９が挟持されている。また保形材２９には、複数の切込２８が施されている。
【００２２】  前記布材２６と裏面２７との間に保形材２９を挟持することにより、前記本体部２０は、硬度の異なる部位を組み合わせて形成することができる。詳細には、把手部１０の近傍、中央部、及び凹部２２は高い硬度を有する硬度部ａ、また中央部分の両側の切込２８部分はやや柔軟性を有する中硬度部ｂ、さらに両翼部２１は柔軟性を有する柔軟部ｃにて形成されている。
【００２３】  上述の如く前記本体部２０を、硬度の異なる部位を組み合わせて形成することで、両翼部２１を容易に折り重ねることができるとともに、把手部１０の近傍、中央部、及び凹部２２を硬度部ａとすることで、筒状体２４の保形性が得られるとともに、筒状部２４の先方を円筒状に保持することができる。なお、本体部２０は、硬度の異なる部位（硬度部ａ、中硬度部ｂ、柔軟部ｃ）の組み合わせに限定されず、全体の厚みや素材を変更することで、全体の硬度を異なる状態に形成することもできる。
【００２４】  また、前記本体部２０であって、両翼部２１の把手部１０側には、一対の係止部２３が形成されている。この係止部２３は、両翼部２１を折り重ねて筒状体２４を形成し、その筒状体２４に靴下３０を装着した際、靴下の開口部３１を係止する働きを有する。そのことにより、図７に示すように、靴下着脱用補助具１を引き上げた時、靴下の開口部３１を足の上部まで確実に引き上げることができる。
【００２５】  また他の好適例として、前記把手部１０の基部に靴下脱部１１を形成した。靴下脱部１１は、図８に示すように、テーパー状に形成された挟持部１２と、挟持部１２の基部に形成された円形状の布保持部１３とを備える。
【００２６】  前記挟持部１２は、布保持部１３に向かい傾斜状に形成されている一対の挿入部１４を備えている。前記挟持部１２は、靴下を脱ぐ際に一方の挿入部１４を靴下３０の開口部３１に挿入させるもので、把手１０を下方に押し込むことで、靴下３０を容易に脱がすことができる。
【００２７】  布保持部１３は略円形状を呈しており、図９に示すように、靴下３０を下方に引き下ろした際、靴下３０の開口部３１が布保持部１３内に収容される。そのことにより、靴下３０を足から取り外した後も、把手部１０の先端に保持された状態となるため、床に落ちた靴下３０を拾い上げる必要がなくなる。
【００２８】  次に、本発明の靴下着脱用補助具の使用方法を図４、図５、図６、図７、及び図９に基づいて説明する。
先ず、両翼部２１を重ね合せて筒状体２４を形成する（図４）。次に筒状体２４に靴下３０を装着させる（図５）。靴下３０を装着した状態で、足を靴下３０内に収容させる（図６）。足を収容させた後、把手１０を引き上げる。この際、靴下３０の開口部３１は、本体部２０の係止部２３に係止された状態となるため、確実に上部まで引き上げることができる（図７）。靴下３０を装着した後に本体部１０を取り外す。
【００２９】  靴下３０を脱ぐ際は、把手１０の挟持部１２の一方の挿入部１４を靴下３０の開口部３１に挿入させ、把手１０を下方に押し込む（図９）。さらに把手１０を下方に押し込むことで、靴下３０を足から容易に脱がすことができる。なお、靴下３０を足から取り外した後でも、開口部３１は布保持部１３内に収容されるため、靴下３０は把手部１０の先端に保持された状態を保つことができる。そのことにより、床に落ちた靴下３０を拾い上げる手間を省くことができる。
【００３０】  上述の如く、本発明の靴下着脱用補助具は、着座や椅子に座った状態、また起立姿勢でも楽に靴下を履くことができ、さらに、靴下を脱がした後も、確実に靴下を保持することができ、床に落ちた靴下を拾い上げる手間を省くことができる。そのため、高齢者や妊婦、また肥満気味の人も、容易に靴下を履いたり脱いだりすることが可能となる。
【符号の説明】
【００３１】１      靴下着脱用補助具
１０    把手
１１    靴下脱部
１２    挟持部
１３    布保持部
１４    挿入部
２０    本体部
２１    翼部
２２    凹部
２３    係止部
２４    筒状体
２５    表面
２６    布材
２７    裏面
２８    切込
２９    保形材
３０    靴下
３１    開口部
ａ      硬度部
ｂ      中硬度部
ｃ      柔軟部
【図１】
2019048015.tif 000003
【図２】
2019048015.tif 000004
【図３】
2019048015.tif 000005
【図４】
2019048015.tif 000006
【図５】
2019048015.tif 000007
【図６】
2019048015.tif 000008
【図７】
2019048015.tif 000009
【図８】
2019048015.tif 000010
【図９】
2019048015.tif 000011